(57)【要約】【課題】携帯端末が近接された際の状況に応じて適切なＷＥＢページを表示させることができる。【解決手段】非接触ＩＣチップが内蔵された携帯端末をリーダライタ１０に近接させると、リーダライタ１０は、携帯端末およびリーダライタに関する情報をクエリパラメータとしたＵＲＬを作成し、携帯端末に作成したＵＲＬでＡＳＰサーバ２０にアクセスするように指示する。この指示を受けて携帯端末からのアクセスを受けたＡＳＰサーバ２０は、クエリパラメータに基づいて、携帯端末にＷＥＢページを送信するためのＷＥＢサーバ３０を選択する。そして、選択されたＷＥＢサーバ３０は、ＷＥＢページをアクセス元の携帯端末に送信する。【選択図】図１
2009059124.tif 000002
【特許請求の範囲】
【請求項１】
近接された携帯端末との間で情報を読み書きする機能を有するリーダライタと、
該携帯端末とネットワークを介して接続される第１のサーバと、該第１のサーバとネットワークを介して接続されＷＥＢページを記憶する複数の第２のサーバとから構成されるリーダライタシステムであって、
前記リーダライタは、
前記携帯端末が近接された際に、該携帯端末及び／又はリーダライタに関する情報を取得する取得手段と、
前記取得手段で取得した情報を含み、前記第１のサーバにアクセスするためのＵＲＬ（Uniform Resource Locator）を作成するＵＲＬ作成手段と、
前記ＵＲＬ作成手段で作成したＵＲＬを近接された携帯端末に送信するＵＲＬ送信手段とを備え、
前記第１のサーバは、
携帯端末からの前記ＵＲＬ送信手段で送信されたＵＲＬによるアクセスに応答して、該ＵＲＬに含まれる前記携帯端末及び／又はリーダライタに関する情報を取得する第２の取得手段と、
前記第２の取得手段で取得した前記携帯端末及び／又はリーダライタに関する情報に基づいて、アクセス元の携帯端末へＷＥＢページを送信するための前記第２のサーバを選択するサーバ選択手段と、
前記サーバ選択手段で選択された前記第２のサーバに、アクセス元の携帯端末へＷＥＢページを送信させることを指示する指示手段とを備え、
前記第２のサーバは、前記指示手段による指示に応答して、アクセス元の携帯端末へ自身が記憶するＷＥＢページを送信するＷＥＢページ送信手段を備える、
ことを特徴とする、リーダライタシステム。
【請求項２】
前記ＵＲＬ作成手段は、前記取得手段で取得した情報を暗号化し、該暗号化した情報を含んだＵＲＬを作成し、
前記第２の取得手段は、暗号化した情報を含んだＵＲＬを復号化して、前記携帯端末及び／又はリーダライタに関する情報を取得する、
ことを特徴とする、請求項１に記載のリーダライタシステム。
【請求項３】
前記ＵＲＬ作成手段は、前記取得手段で取得した情報をクエリパラメータとしたＵＲＬを作成する、
ことを特徴とする、請求項１又は２に記載のリーダライタシステム。
【請求項４】
前記携帯端末及び／又はリーダライタに関する情報は、前記携帯端末に内蔵されている該非接触ＩＣチップの識別情報、前記リーダライタの識別情報、前記リーダライタの電源が入力された回数を示す情報、前記リーダライタの電源が入力されてからの経過時間を示す情報、前記リーダライタへ携帯端末が近接された回数を示す情報、乱数を示す情報の少なくとも１つを含む、
ことを特徴とする請求項１乃至３の何れか１項に記載のリーダライタシステム。
【請求項５】
近接された携帯端末との間で情報を読み書きする機能を有するリーダライタと、
該携帯端末とネットワークを介して接続される第１のサーバとから構成されるリーダライタシステムであって、
前記リーダライタは、
前記携帯端末が近接された際に、該携帯端末及び／又はリーダライタに関する情報を取得する取得手段と、
前記取得手段で取得した情報を含み、前記第１のサーバにアクセスするためのＵＲＬ（Uniform Resource Locator）を作成するＵＲＬ作成手段と、
前記ＵＲＬ作成手段で作成したＵＲＬを該携帯端末に送信するＵＲＬ送信手段とを備え、
前記第１のサーバは、
複数のＷＥＢページを記憶するＷＥＢページ記憶手段と、
携帯端末からの前記ＵＲＬ送信手段で受信したＵＲＬによるアクセスに応答して、該ＵＲＬに含まれる前記携帯端末及び／又はリーダライタに関する情報を取得する第２の取得手段と、
前記第２の取得手段で取得した前記携帯端末及び／又はリーダライタに関する情報に基づいて前記ＷＥＢページ記憶手段に記憶されているＷＥＢページを選択するＷＥＢページ選択手段と、
前記ＷＥＢページ選択手段で選択されたＷＥＢページをアクセス元の携帯端末に送信するＷＥＢページ送信手段を備える、
ことを特徴とする、リーダライタシステム。
【請求項６】
近接された携帯端末との間で情報を読み書きする機能を有するリーダライタであって、
前記携帯端末が近接された際に、該携帯端末及び／又はリーダライタに関する情報を取得する取得手段と、
前記取得手段で取得した情報を含むＵＲＬ（Uniform Resource Locator）を作成するＵＲＬ作成手段と、
前記ＵＲＬ作成手段で作成したＵＲＬを該携帯端末に送信するＵＲＬ送信手段とを備える、
ことを特徴とするリーダライタ。
【発明の詳細な説明】
【技術分野】
【０００１】
本発明は、携帯端末との間で情報の送受信が可能なリーダライタシステム、リーダライタに関する。
【背景技術】
【０００２】
リーダライタに非接触ＩＣチップが内蔵されている携帯端末を近接させた際に、該携帯端末のＷＥＢブラウザを起動させて、特定のＷＥＢページを表示させることを可能とするリーダライタシステムがある（例えば特許文献１）。
【特許文献１】特開２００７−８７０９６号公報
【発明の開示】
【発明が解決しようとする課題】
【０００３】
上述のシステムは、携帯端末が近接された際に特定のサイトへアクセスさせるという画一的な処理を行うにすぎない。そのため、上述のリーダライタでは、携帯端末に内蔵されている非接触ＩＣチップのＩＤや、リーダライタ毎や、近接させた時間帯毎などの状況に応じて、適切なＷＥＢページを表示させることはできない。
【０００４】
本発明は上記実状に鑑みてなされたものであり、リーダライタに近接された携帯端末が状況に応じた適切なＷＥＢページを表示することができる、リーダライタシステム等を提供することを目的とする。
【課題を解決するための手段】
【０００５】
上記目的を達成するため、本発明の第１の観点に係るリーダライタシステムは、
近接された携帯端末との間で情報を読み書きする機能を有するリーダライタと、
該携帯端末とネットワークを介して接続される第１のサーバと、該第１のサーバとネットワークを介して接続されＷＥＢページを記憶する複数の第２のサーバとから構成されるリーダライタシステムであって、
前記リーダライタは、
前記携帯端末が近接された際に、該携帯端末及び／又はリーダライタに関する情報を取得する取得手段と、
前記取得手段で取得した情報を含み、前記第１のサーバにアクセスするためのＵＲＬ（Uniform Resource Locator）を作成するＵＲＬ作成手段と、
前記ＵＲＬ作成手段で作成したＵＲＬを近接された携帯端末に送信するＵＲＬ送信手段とを備え、
前記第１のサーバは、
携帯端末からの前記ＵＲＬ送信手段で送信されたＵＲＬによるアクセスに応答して、該ＵＲＬに含まれる前記携帯端末及び／又はリーダライタに関する情報を取得する第２の取得手段と、
前記第２の取得手段で取得した前記携帯端末及び／又はリーダライタに関する情報に基づいて、アクセス元の携帯端末へＷＥＢページを送信するための前記第２のサーバを選択するサーバ選択手段と、
前記サーバ選択手段で選択された前記第２のサーバに、アクセス元の携帯端末へＷＥＢページを送信させることを指示する指示手段とを備え、
前記第２のサーバは、前記指示手段による指示に応答して、アクセス元の携帯端末へ自身が記憶するＷＥＢページを送信するＷＥＢページ送信手段を備える、
ことを特徴とする。
【０００６】
前記ＵＲＬ作成手段は、前記取得手段で取得した情報を暗号化し、該暗号化した情報を含んだＵＲＬを作成し、
前記第２の取得手段は、暗号化した情報を含んだＵＲＬを復号化して、前記携帯端末及び／又はリーダライタに関する情報を取得してもよい。
【０００７】
前記ＵＲＬ作成手段は、前記取得手段で取得した情報をクエリパラメータとしたＵＲＬを作成してもよい。
【０００８】
前記携帯端末及び／又はリーダライタに関する情報は、前記携帯端末に内蔵されている該非接触ＩＣチップの識別情報、前記リーダライタの識別情報、前記リーダライタの電源が入力された回数を示す情報、前記リーダライタの電源が入力されてからの経過時間を示す情報、前記リーダライタへ携帯端末が近接された回数を示す情報、乱数を示す情報の少なくとも１つを含んでもよい。
【０００９】
上記目的を達成するため、本発明の第２の観点に係るリーダライタシステムは、
近接された携帯端末との間で情報を読み書きする機能を有するリーダライタと、
該携帯端末とネットワークを介して接続される第１のサーバとから構成されるリーダライタシステムであって、
前記リーダライタは、
前記携帯端末が近接された際に、該携帯端末及び／又はリーダライタに関する情報を取得する取得手段と、
前記取得手段で取得した情報を含み、前記第１のサーバにアクセスするためのＵＲＬ（Uniform Resource Locator）を作成するＵＲＬ作成手段と、
前記ＵＲＬ作成手段で作成したＵＲＬを該携帯端末に送信するＵＲＬ送信手段とを備え、
前記第１のサーバは、
複数のＷＥＢページを記憶するＷＥＢページ記憶手段と、
携帯端末からの前記ＵＲＬ送信手段で受信したＵＲＬによるアクセスに応答して、該ＵＲＬに含まれる前記携帯端末及び／又はリーダライタに関する情報を取得する第２の取得手段と、
前記第２の取得手段で取得した前記携帯端末及び／又はリーダライタに関する情報に基づいて前記ＷＥＢページ記憶手段に記憶されているＷＥＢページを選択するＷＥＢページ選択手段と、
前記ＷＥＢページ選択手段で選択されたＷＥＢページをアクセス元の携帯端末に送信するＷＥＢページ送信手段を備える、
ことを特徴とする。
【００１０】
上記目的を達成するため、本発明の第３の観点に係るリーダライタは、
近接された携帯端末との間で情報を読み書きする機能を有するリーダライタであって、
前記携帯端末が近接された際に、該携帯端末及び／又はリーダライタに関する情報を取得する取得手段と、
前記取得手段で取得した情報を含むＵＲＬ（Uniform Resource Locator）を作成するＵＲＬ作成手段と、
前記ＵＲＬ作成手段で作成したＵＲＬを該携帯端末に送信するＵＲＬ送信手段とを備える、
ことを特徴とする。
【発明の効果】
【００１１】
本発明によると、リーダライタに携帯端末が近接された際に、携帯端末のＩＤ等の情報に基づいて最適なＷＥＢサーバが選択されるため、リーダライタに近接された携帯端末が状況に応じた適切なＷＥＢページを表示することができる。
【発明を実施するための最良の形態】
【００１２】
以下、本発明の実施形態に係るリーダライタシステム１について説明する。本実施形態に係るリーダライタシステム１は、図１に示すように、リーダライタ１０と、ＡＳＰサーバ２０と、複数のＷＥＢサーバ３０と、ネットワークＮとを備える。ネットワークＮは、インターネットやＬＡＮ(Local Area Network)等であり、ＡＳＰサーバ２０とＷＥＢサーバ３０とはネットワークＮを介して有線又は無線により相互に通信可能である。また、ＡＳＰサーバ２０とＷＥＢサーバ３０とは、リーダライタ１０に近接された非接触ＩＣチップが内蔵されている携帯端末と、ネットワークＮを介して相互に通信可能である。また、この携帯端末は、ＷＥＢブラウザを内蔵しており、該ＷＥＢブラウザを介して任意のＷＥＢサイトにアクセスすることができる。
【００１３】
リーダライタ１０は、近接された非接触ＩＣチップが内蔵されている携帯端末と各種の情報を送受信する。
リーダライタ１０は、図２（Ａ）に示すように、アンテナ１１と、アナログ回路部１２と、記憶部１３と、制御部１４とを備える。
【００１４】
アナログ回路部１２は、変調回路、復調回路、高周波増幅回路などを備え、近接された携帯端末に内蔵されている非接触ＩＣチップと無線通信を行い、各種情報を送受信する。アナログ回路部１２は、送信の動作として、搬送波を生成し、制御部１４より供給されたデータを用いてこの搬送波を公知の手法により変調し、得られた変調波を増幅して、近接携帯端末へとアンテナ１１を介して無線送信する。
また、アナログ回路部１２は、受信の動作として、近接された携帯端末から送信されアンテナ１１を介して受信した変調波を増幅して復調し、復調により得られたデータを制御部１４に供給する。
【００１５】
記憶部１３は、ＲＡＭ（Random Access Memory）やＲＯＭ（Read Only Memory）等から構成され、制御部１４の動作プログラム、及び固定データ、例えば、自身のリーダライタ１０を識別するための識別情報（ＩＤ）を記憶する。
また、記憶部１３は、制御部１４が動作するための主メモリ及びワークエリアとして機能する。
また、記憶部１３は、図２（Ｂ）に示すように、携帯端末が近接された回数を計測するためのカウンタ（近接回数計測カウンタ）を記憶する。なお、近接回数計測カウンタの初期値は０である。
また、記憶部１３は、図２（Ｂ）に示すように、リーダライタ１０が電源ＯＮをされた回数を計測するためのカウンタ（電源ＯＮ回数計測カウンタ）を記憶する。なお、電源ＯＮ回数計測カウンタの初期値は０である。
また、記憶部１３は、図２（Ｂ）に示すように、ＡＳＰサーバ２０の所定のファイルにアクセスするためのアクセス用ＵＲＬ（Uniform Resource Locator）を記憶する。
【００１６】
制御部１４は、ＣＰＵ（Central Processing Unit）等を備え、記憶部１３に記憶されている動作プログラムを実行することにより、リーダライタ１０全体を制御する。
また、制御部１４は、リーダライタ１０に電源が供給されてＯＮ状態になったことを示す信号を検知した際に、電源ＯＮ回数計測カウンタを１つインクリメントする。従って、電源ＯＮ回数計測カウンタの値は、リーダライタ１０の電源がＯＮされた回数を示すこととなる。
また、制御部１４は、リーダライタ１０に電源が供給されてＯＮ状態になったことを示す信号を検知してからの経過時間を、内部に備えるソフトウェアタイマなどにより計測する。なお、電源がＯＦＦ状態になったことを検知した場合には、制御部１４は、この計測した時間をリセットして０にする。
また、制御部１４は、携帯端末が近接された際に、該携帯端末に内蔵されている非接触ＩＣチップの識別情報（ＩＤ）や、リーダライタ１０のＩＤ等の情報を暗号化してクエリパラメータにして、記憶部１３に記憶されているアクセス用ＵＲＬに結合したものをブラウザ起動命令とともに、近接された携帯端末に送信する。
【００１７】
ＡＳＰサーバ２０は、図３に示すように、通信部２１と、記憶部２２と、制御部２３とを備える。
【００１８】
通信部２１は、ＮＩＣ（Network Interface Card）等の通信インタフェースを備え、ネットワークＮを介して、携帯端末、ＷＥＢサーバ３０との間で情報を送受信する。
【００１９】
記憶部２２は、ハードディスク装置や、ＲＡＭや、ＲＯＭ等から構成され、制御部２３の動作プログラム、及び固定データを記憶する。
また、記憶部２２は、制御部２３が動作するための主メモリ及びワークエリアとして機能する。
【００２０】
また、記憶部２２は、ＷＥＢサーバ選択ＤＢ（データベース）２２１を備える。ＷＥＢサーバ選択ＤＢ２２１は、リーダライタ１０に近接された携帯端末から送信されてきた情報に基づいて、該携帯端末にＷＥＢページを送信するためのＷＥＢサーバ３０を選択するためのＤＢである。
【００２１】
具体的に、ＷＥＢサーバ選択ＤＢ２２１は、図４に示すように、所定の条件毎に、該条件を満たす情報の送信元の携帯端末にＷＥＢページを送信させるＷＥＢサーバ３０を特定するための情報（例えば、ＷＥＢサーバ３０のＩＰアドレス）を記憶する。
所定の条件は、携帯端末が内蔵する非接触ＩＣチップの識別情報（ＩＣチップＩＤ）と、リーダライタ１０の識別情報（リーダライタＩＤ）と、リーダライタ１０の電源ＯＮの回数（電源ＯＮ回数）と、リーダライタ１０の電源ＯＮからの経過時間（電源ＯＮ経過時間）と、リーダライタ１０へ携帯端末が近接された回数（近接回数）と、乱数の各範囲を示した複数の条件から構成される。
例えば、図４に示すＷＥＢサーバ選択ＤＢ２２１の先頭エントリに記憶されている情報より、ＩＣチップＩＤが「T000〜T300」の範囲にあり、リーダライタＩＤが「RW1000〜RW2000」の範囲にあり、電源ＯＮ回数が「３回以上」であり、電源ＯＮ経過時間が「１時間以上」であり、近接回数が「０回〜１０００回」の範囲にあり、乱数が「奇数」である各情報が携帯端末から送信されてきた際に、該携帯端末へＷＥＢページを送信するために、ＩＰアドレス「123:123:123:1」で特定されるＷＥＢサーバ３０が選択されることを示している。
また、２番目のエントリに記憶されている情報より、リーダライタＩＤが「RW2001〜RW3000」の範囲にある情報が送信されてきた際に、ＩＰアドレス「123:123:123:2」で特定されるＷＥＢサーバ３０が選択されることを示している。
また、３番目のエントリに記憶されている情報より、電源ＯＮ回数が「１００回以下」であり、電源ＯＮ経過時間が「５時間以上、１０時間未満」である各情報が送信されてきた際に、ＩＰアドレス「123:123:123:3」で特定されるＷＥＢサーバ３０が選択されることを示している。
また、４番目のエントリに記憶されている情報より、近接回数が「１０００回、５０００回」であることを示す情報が送信されてきた際に、ＩＰアドレス「123:123:123:4」で特定されるＷＥＢサーバ３０が選択されることを示している。
【００２２】
制御部２３は、ＣＰＵ（Central Processing Unit）等を備え、記憶部２２に記憶されている動作プログラムを実行することにより、ＡＳＰサーバ２０全体を制御する。
また、制御部２３は、携帯端末から送信されたＵＲＬに含まれる情報から、該携帯端末にＷＥＢページを送信させるＷＥＢサーバ３０を選択する処理を行う。
【００２３】
ＷＥＢサーバ３０は、図５に示すように、通信部３１と、記憶部３２と、制御部３３とを備える。
【００２４】
通信部３１は、ＮＩＣ（Network Interface Card）等の通信インタフェースを備え、ネットワークＮを介して、携帯端末、ＡＳＰサーバ２０との間で情報を送受信する。
【００２５】
記憶部３２は、ハードディスク装置や、ＲＡＭや、ＲＯＭ等から構成され、制御部３３の動作プログラム、及び固定データを記憶する。
また、記憶部３２は、制御部３３が動作するための主メモリ及びワークエリアとして機能する。
また、記憶部３２は、携帯端末に送信するためのＷＥＢページを記憶している。
【００２６】
制御部３３は、ＣＰＵ（Central Processing Unit）等を備え、記憶部３２に記憶されている動作プログラムを実行することにより、ＡＳＰサーバ２０全体を制御する。
また、制御部３３は、通信部３１よりネットワークＮを介して携帯端末に、記憶部３２に記憶されているＷＥＢページを送信する。
【００２７】
続いて、携帯端末のユーザがリーダライタ１０に携帯端末を近接させたときのリーダライタシステム１の動作について、図６、図７を参照して説明する。
【００２８】
まず、ユーザは、携帯端末をリーダライタ１０に近接させて、携帯端末に内蔵されている非接触ＩＣチップより、該非接触ＩＣチップのＩＤを含んだ変調波を無線送信する。そして、リーダライタ１０は、アンテナ１１より携帯端末から無線送信された変調波を受信する。アナログ回路部１２は、アンテナ１１が受信した変調波を増幅して復調し、復調により得られた非接触ＩＣチップのＩＤを制御部１４に送信する。
【００２９】
リーダライタ１０の制御部１４は、アナログ回路部１２から非接触ＩＣチップのＩＤを受信すると（図６、ステップＳ１１）、以下の（１）〜（６）の各情報を取得する（ステップＳ１２）。
（１）携帯端末が内蔵する非接触ＩＣチップの識別情報（ＩＣチップＩＤ）
（２）リーダライタ１０の識別情報（リーダライタＩＤ）
（３）リーダライタ１０の電源ＯＮの回数（電源ＯＮ回数）
（４）リーダライタ１０の電源ＯＮからの経過時間（電源ＯＮ経過時間）
（５）リーダライタ１０へ携帯端末が近接された回数（近接回数）
（６）乱数
【００３０】
なお、（１）のＩＣチップＩＤの取得は、制御部１４が、近接された携帯端末より送信されてきたＩＣチップＩＤを取得すればよい。
また、（２）のリーダライタＩＤの取得は、制御部１４が、記憶部１３に記憶されているリーダライタＩＤを読み出せばよい。
また、（３）の電源ＯＮ回数の取得は、制御部１４が、記憶部１３に記憶されている電源ＯＮ回数計測カウンタの値を読み出せばよい。
また、（４）の電源ＯＮ経過時間は、制御部１４が、自身が備えるソフトウェアタイマなどによって計測した時間を取得すればよい。
また、（５）の近接回数の取得は、制御部１４が、記憶部１３に記憶されている近接回数計測カウンタを１つインクリメントした値を取得すればよい。
また、（６）の乱数の取得は、制御部１４が公知の乱数発生処理を行って取得すればよい。
【００３１】
続いて制御部１４は、取得した各情報を暗号化する（ステップＳ１３）。
この暗号化は、秘密キーや公開キーを用いて暗号化するなどの、公知の暗号化技術を利用して行えばよい。
【００３２】
そして、制御部１４は、暗号化した各情報をクエリパラメータとして、記憶部１３に記憶されているアクセス用ＵＲＬに連結したＵＲＬを作成する（ステップＳ１４）。
例えば、アクセス用ＵＲＬが「http://www.bug.co.jp/index.html」であり、上記の（１）〜（６）の各情報を暗号化した情報が、それぞれ、「abc」、「def」、「ghi」、「jkl」、「mno」、「pqr」である場合、これらの暗号化した各情報をクエリパラメータ（ｘ１〜ｘ６）にした「x1=abc&x2=def&x3=ghi&x4=jkl&x5=mno&x6=pqr」が作成される。そして作成されたクエリにアクセス用ＵＲＬを連結したＵＲＬ「http://www.bug.co.jp/index.html?x1=abc&x2=def&x3=ghi&x4=jkl&x5=mno&x6=pqr」が作成される。
【００３３】
続いて、制御部１４は、近接された携帯端末に、ブラウザを起動させてステップＳ１４で作成したＵＲＬ先にアクセスするための指示情報を、アンテナ１１より無線送信する（ステップＳ１５）。以上で、携帯端末が近接された際の、リーダライタ１０の処理は終了する。
【００３４】
携帯端末は、リーダライタ１０からの指示情報を受信すると、内蔵されているＷＥＢブラウザを起動し、起動させたブラウザを介して、ステップＳ１４で作成したＵＲＬにより、ＡＳＰサーバ２０にアクセスする。なお、このとき、このＵＲＬの一部である、暗号化したクエリパラメータが、ＡＳＰサーバ２０に送信される。
【００３５】
ＡＳＰサーバ２０の制御部２３は、携帯端末からのアクセス情報を受信すると（図７、ステップＳ２１）、携帯端末から送信された暗号化されているクエリパラメータを復号化し、ステップＳ１２で取得した各情報を取得する（ステップＳ２２）。
なお、この復号化は、秘密キーを用いて復号化するなどの、公知の復号化技術を利用して行えばよい。
【００３６】
そして、制御部２３は、取得した各情報、および、ＷＥＢサーバ選択ＤＢ２２１に記憶されている情報に基づいて、携帯端末にＷＥＢページを送信させるためのＷＥＢサーバ３０を選択する（ステップＳ２３）。
例えば、ＷＥＢサーバ選択ＤＢ２２１に図４に示すような情報が記憶されている場合において、携帯端末から取得したクエリパラメータを復号化して得られた各情報が、ＩＣチップＩＤ「Ｔ１２３」、リーダライタＩＤ「ＲＷ１２３４」、電源ＯＮ回数「１０回」、電源ＯＮ経過時間「３時間」、近接回数「５００回」、乱数「３」であった場合、こららの各情報の全てを満たす条件に対応付けられているＩＰアドレス「１２３：１２３：１２３：１」を有するＷＥＢサーバ３０が選択される。
【００３７】
続いて、制御部は２３、選択したＷＥＢサーバ３０に、ＷＥＢページを送信させることを要求する、ＷＥＢページ送信要求を送信する（ステップＳ２４）。なお、このＷＥＢページ送信要求には、ＷＥＢページの送信先となるアクセス元の携帯端末のアドレス（例えば、ＩＰアドレス）が含まれている。以上で、ＡＳＰサーバ２０の処理は終了する。
【００３８】
ＷＥＢサーバ３０の制御部３３はＷＥＢページ送信要求を受信すると（ステップＳ３１）、記憶部３２に記憶されているＷＥＢページを、ＷＥＢページ送信要求に含まれているアドレスを有する携帯端末へ送信する（ステップＳ３２）。
以上で、ＷＥＢサーバ３０の処理は終了する。
【００３９】
そして、携帯端末は、ＷＥＢサーバ３０から送信されたＷＥＢページを受信して、ブラウザ上に表示する。
以上で、リーダライタシステム１の処理は終了する。
【００４０】
このように、本実施形態のリーダライタシステム１では、非接触ＩＣチップが内蔵された携帯端末をリーダライタ１０にかざすと、携帯端末およびリーダライタに関する情報をクエリパラメータとしたＵＲＬが作成される。そして、作成されたＵＲＬで携帯端末がＡＳＰサーバ２０にアクセスした際には、ＡＳＰサーバ２０は該ＵＲＬに含まれるクエリパラメータに基づいて、適切なＷＥＢサーバを選択する。従って、携帯端末は、リーダライタ１０に自身を近接させた際に、かざされた携帯端末およびリーダライタの状況に基づいて、適切なＷＥＢページを表示することが可能となる。
また、このクエリパラメータとなる情報には、リーダライタ１０の電源ＯＮ経過時間と近接回数も含まれているため、携帯端末が近接されたときのおよその時刻がわかる。従って、近接された時刻に応じて適切なＷＥＢページを表示することが可能となる。なお、リーダライタ１０に時計機能を持たせ、近接時に時刻を取得するようにしてもよいが、このような構成にすると、定期的にこの時計機能の時刻合わせを行う必要があり、メンテナンスにかかる手間が増えることとなる。
【００４１】
なお、本発明を実施するにあたっては、種々の形態が考えられ、上記実施の形態に限られるものではない。
例えば、リーダライタ１０は、ステップＳ１２で、ＩＣチップＩＤ、リーダライタＩＤ、電源ＯＮ回数、電源ＯＮ経過時間、近接回数、乱数の６つの情報を取得したが、必ずしもこれらの情報全てを取得する必要はなく、これらの情報のうち少なくとも１つの情報を取得すればよい。
また、これらの情報以外にも、ＩＣチップの種別、携帯端末の識別情報（例えば、設定されている電話番号）、リーダライタ１０に設定されているステータス情報なども取得してもよい。
【００４２】
また、リーダライタ１０は、ステップＳ１５の処理で、作成したＵＲＬのみを携帯端末に送信してもよい。すなわち、この場合、携帯端末のブラウザは自動的に起動されず、該ＵＲＬが示すアクセス先にはアクセスがなされない。そして、携帯端末のブラウザが起動されて該ＵＲＬ先へのアクセスが行われるのは、ユーザによっては、比較的長い時間が経過してから行われる可能性がある。
この場合でも、該ＵＲＬのクエリパラメータとして設定されている情報は、あくまでリーダライタ１０へ携帯端末が近接された時点で作成された情報であるため、携帯端末は、該ＵＲＬにより近接時の状況に応じた適切なＷＥＢページを表示することができる。
【００４３】
また、ＷＥＢサーバ３０を備えないようにリーダライタシステム１を構成してもよい。この場合、ＡＳＰサーバ２０の記憶部２２には、ＷＥＢサーバ選択ＤＢ２２１の替わりに、図８に示すようなＷＥＢページ選択ＤＢ２２２を備える。
このＷＥＢページ選択ＤＢ２２２は、所定の条件毎に、該条件を満たす情報の送信元である携帯端末に送信するためのＷＥＢページを記憶するＤＢである。
そして、この場合、ＡＳＰサーバ２０は、携帯端末からのアクセス情報を受信した際には、図９に示す処理を行う。
【００４４】
即ち、ＡＳＰサーバ２０の制御部２３は、携帯端末からのアクセス情報を受信すると（図９、ステップＳ４１）、クエリパラメータを復号化して各情報を取得（ステップＳ４２）する。
【００４５】
そして、制御部２３は、取得した各情報に基づいて、ＷＥＢページ選択ＤＢ２２２から適切なＷＥＢページを選択する（ステップＳ４３）。
具体的には、取得した各情報の全てを満たす条件に対応付けられているＷＥＢページを、ＷＥＢページ選択ＤＢ２２２から取得すればよい。
そして、制御部２３は、取得したＷＥＢページを、アクセス元の携帯端末に送信し（ステップＳ４４）、携帯端末は送信されたＷＥＢページを表示し、処理は終了する。
【００４６】
このような処理をすることで、ＷＥＢサーバ３０を構成しなくても、携帯端末に状況に応じた適切なＷＥＢページを表示させるという、同様な効果を得ることができる。
【図面の簡単な説明】
【００４７】
【図１】本発明の本実施形態に係るリーダライタシステムの構成を示す図である。
【図２】図１に示すリーダライタの構成を示す図である。
【図３】図１に示すＡＳＰサーバの構成を示す図である。
【図４】ＷＥＢサーバ選択ＤＢの構成を示す図である。
【図５】図１に示すＷＥＢサーバの構成を示す図である。
【図６】携帯端末をリーダライタに近接させた際に行われる処理を説明するためのフローチャートである。
【図７】携帯端末をリーダライタに近接させた際に行われる処理を説明するためのフローチャートである。
【図８】ＷＥＢページ選択ＤＢの構成を示す図である。
【図９】ＷＥＢサーバを構成しない場合における、携帯端末からのアクセスがあった際に行われるＡＳＰサーバの処理を説明するためのフローチャートである。
【符号の説明】
【００４８】
１  リーダライタシステム
１０  リーダライタ
２０  ＡＳＰサーバ
３０  ＷＥＢサーバ
Ｎ  ネットワーク
【図１】
2009059124.tif 000003
【図２】
2009059124.tif 000004
【図３】
2009059124.tif 000005
【図４】
2009059124.tif 000006
【図５】
2009059124.tif 000007
【図６】
2009059124.tif 000008
【図７】
2009059124.tif 000009
【図８】
2009059124.tif 000010
【図９】
2009059124.tif 000011